(57)【特許請求の範囲】
【請求項１】
天気番組放送用の天気データを受信端末から受信して転送する転送制御部と、
複数の送出先それぞれに対応して設けられた画像送出部であって、前記転送制御部によって転送された天気データに含まれる画像データを対応する送出先に送出する画像送出部と
を備え、
前記転送制御部は、
天気データの送出を要求する送出要求を受信する要求受信部と、
前記要求受信部によって送出要求が受信されると、各画像送出部がビジー状態であるか否かを判定する状態判定部と、
前記状態判定部によってどの画像送出部もビジー状態でないと判定されると、前記送出要求が送出を要求する天気データを前記受信端末から取得して転送するデータ転送部と
を備える天気データ送出装置。
【請求項２】
前記送出要求は、前記天気データの種別を示す種別情報を含んでおり、
前記データ転送部は、前記種別情報が示す種別が優先データであることを示す場合には、前記天気データの送出先に対応して設けられた画像送出部がビジー状態でないと判定されると、他の画像送出部がビジー状態であっても、前記送出要求が送出を要求する前記天気データを転送する
請求項１に記載の天気データ送出装置。
【請求項３】
前記天気データ送出装置は、さらに、
複数の画像送出部が画像データを送出する場合に、送出される画像データを含む天気データのうちのいずれか１つの天気データを選択するデータ選択部と、
前記データ選択部によって選択された天気データに含まれる音声データを送出する音声送出部と
を備える請求項１又は２に記載の天気データ送出装置。
【請求項４】
前記データ選択部は、前記天気データの種別に応じて、天気データを選択する
請求項３に記載の天気データ送出装置。
【請求項５】
前記画像データは、同一の通信装置を介して送出され、
各送出先に対応して設けられた前記画像送出部は、他の画像送出部によって前記通信装置の初期化処理がされていない場合に、前記通信装置の初期化処理を行う
請求項１から４までのいずれか１項に記載の天気データ送出装置。
【発明の詳細な説明】
【技術分野】
【０００１】
この発明は、天気番組放送用の天気データを送出する天気データ送出装置に関する。
【背景技術】
【０００２】
天気データ送出装置は、予め登録されたスケジュールに従い、気象業務支援センターや民間気象会社から取得された天気データから生成された、放送用の画像データ及び音声データを送出先に送出する装置である。天気データ送出装置から送出された画像データ及び音声データは、地上デジタルテレビ送信機から電波塔を介して配信される。
【０００３】
特許文献１には、ニュース及び天気の番組の情報を送出する番組送出装置について記載されている。
【先行技術文献】
【特許文献】
【０００４】
【特許文献１】特開２０００−３０７５２９号公報
【発明の概要】
【発明が解決しようとする課題】
【０００５】
天気データには、天気トリキリと、フィラー天気と、速報テロップスーパーと、津波地図スーパーと、天気マークスーパーとのような複数のコンテンツがある。しかし、天気データ送出装置は、１台で１系統への出力しかできなかった。そのため、放送局では、必要な天気データのコンテンツ数分、天気データ送出機が必要であった。その結果、放送局では、多くの天気データ送出機が必要となり、費用が多くかかり、また、設置場所が多く取られるといった課題があった。
この発明は、１台の天気データ送出装置で複数系統に画像データを送出できるようにすることを目的とする。
【課題を解決するための手段】
【０００６】
この発明に係る天気データ送出装置は、
天気番組放送用の天気データを受信端末から受信して転送する転送制御部と、
複数の送出先それぞれに対応して設けられた画像送出部であって、前記データ転送部によって転送された天気データに含まれる画像データを対応する送出先に送出する画像送出部と
を備え、
前記データ転送部は、
天気データの送出を要求する送出要求を受信する要求受信部と、
前記要求受信部によって送出要求が受信されると、各画像送出部がビジー状態であるか否かを判定する状態判定部と、
前記状態判定部によってどの画像送出部もビジー状態でないと判定されると、前記送出要求が送出を要求する天気データを前記受信端末から取得して転送するデータ転送部と
を備える。
【０００７】
前記送出要求は、前記天気データの種別を示す種別情報を含んでおり、
前記データ転送部は、前記種別情報が示す種別が優先データであることを示す場合には、前記天気データの送出先に対応して設けられた画像送出部がビジー状態でないと判定されると、他の画像送出部がビジー状態であっても、前記送出要求が送出を要求する前記天気データを転送する。
【０００８】
前記天気データ送出装置は、さらに、
複数の画像送出部が画像データを送出する場合に、送出される画像データを含む天気データのうちのいずれか１つの天気データを選択するデータ選択部と、
前記データ選択部によって選択された天気データに含まれる音声データを送出する音声送出部と
を備える。
【０００９】
前記データ選択部は、前記天気データの種別に応じて、天気データを選択する。
【００１０】
前記画像データは、同一の通信装置を介して送出され、
各送出先に対応して設けられた前記画像送出部は、他の画像送出部によって前記通信装置の初期化処理がされていない場合に、前記通信装置の初期化処理を行う。
【発明の効果】
【００１１】
この発明では、送出先毎に画像送出部が設けられており、１台の天気データ送出装置で複数の送出先に画像データを送出することが可能である。
【図面の簡単な説明】
【００１２】
【図１】実施の形態１に係る天気データ送出システム１の構成図。
【図２】実施の形態１に係る天気データ送出装置１０の構成図。
【図３】実施の形態１に係る転送制御部１４の構成図。
【図４】実施の形態１に係る天気データ送出装置１０の動作を示すフローチャート。
【図５】実施の形態１に係るＳ１２：データ転送処理のフローチャート。
【図６】実施の形態１に係るＳ１２：データ転送処理のシーケンス図。
【図７】実施の形態１に係る画像送出部１６の状態遷移図。
【図８】実施の形態２に係るＳ１２：データ転送処理のフローチャート。
【図９】実施の形態２に係るＳ１２：データ転送処理のシーケンス図。
【図１０】実施の形態３に係る天気データ送出装置１０の構成図。
【図１１】実施の形態３に係る天気データ送出装置１０の動作を示すフローチャート。
【図１２】実施の形態３に係るデータ選択処理のフローチャート。
【図１３】実施の形態４に係る天気データ送出装置１０の構成図。
【図１４】実施の形態４に係るＳ１３：画像送出処理のフローチャート。
【図１５】実施の形態４に係るＳ６３：ボード初期化処理のフローチャート。
【図１６】実施の形態４に係るＳ６４：送出処理のフローチャート。
【図１７】天気データ送出装置１０の機能がソフトウェアで実現される場合のハードウェア構成例を示す図。
【図１８】天気データ送出装置１０の機能がハードウェアで実現される場合のハードウェア構成例を示す図。
【発明を実施するための形態】
【００１３】
実施の形態１．
実施の形態１では、１台の天気データ送出装置１０で複数の送出先に画像データ２２を送出することを説明する。なお、実施の形態１では、音声データ２３を送出することについての説明は省略する。
【００１４】
＊＊＊構成の説明＊＊＊
図１は、実施の形態１に係る天気データ送出システム１の構成図である。
天気データ送出システム１は、天気データ送出装置１０と、受信端末２０と、情報検索端末３０と、運行管理装置４０と、リモートコントローラ５０とを備える。
受信端末２０と、情報検索端末３０と、運行管理装置４０と、リモートコントローラ５０とは、送出先毎に設けられている。ここでは、送出先は、Ａ系統とＢ系統との２つとしている。そのため、情報検索端末３０と、運行管理装置４０と、リモートコントローラ５０とは、２つずつ設けられており、一方がＡ系統に対応しており、他方がＢ系統に対応している。図面及び以下の説明では、符号の後にＡと付されているものがＡ系統に対応しており、Ｂと付されているものがＢ系統に対応している。
各受信端末２０と、各情報検索端末３０と、各運行管理装置４０と、各リモートコントローラ５０とは、天気データ送出装置１０とネットワークを介して接続されている。
【００１５】
天気データ送出装置１０は、スケジュールに従い天気データを示す放送用の画像データ及び音声データを送出先に送出する装置である。
【００１６】
受信端末２０は、気象業務支援センター、もしくは民間気象会社から天気データ２１を受信する装置である。受信端末２０は、受信した天気データ２１に含まれる画像データ２２及び音声データ２３を天気データ送出装置１０に送信する。
【００１７】
情報検索端末３０は、利用者からの入力に従い、番組の放送スケジュール３１を設定するための装置である。情報検索端末３０は、設定された放送スケジュール３１を天気データ送出装置１０に送信する。
【００１８】
運行管理装置４０は、放送局における番組の放送スケジュール４１を管理する装置である。運行管理装置４０は、管理する放送スケジュール４１を天気データ送出装置１０に送信する。
【００１９】
リモートコントローラ５０は、外部から番組の放送スケジュール５１を設定するための装置である。リモートコントローラ５０は、設定された放送スケジュール５１を天気データ送出装置１０に送信する。
【００２０】
図２は、実施の形態１に係る天気データ送出装置１０の構成図である。
天気データ送出装置１０は、スケジュール制御部１１と、ＡＰＣ制御部１２と、コントローラ制御部１３と、転送制御部１４と、オンエア制御部１５と、画像送出部１６とを備える。なお、ＡＰＣは、Ａｕｔｏｍａｔｉｃ  Ｐｒｏｇｒａｍ  Ｃｏｎｔｒｏｌの略である。ＡＰＳとも呼ばれている。
スケジュール制御部１１と、ＡＰＣ制御部１２と、コントローラ制御部１３と、オンエア制御部１５と、画像送出部１６とは、送出先毎に設けられている。
【００２１】
スケジュール制御部１１は、情報検索端末３０から送信された放送スケジュール３１を受信する。スケジュール制御部１１は、受信した放送スケジュール３１をオンエア制御部１５に送信する。
【００２２】
ＡＰＣ制御部１２は、運行管理装置４０から送信された放送スケジュール４１を受信する。ＡＰＣ制御部１２は、受信した放送スケジュール４１をオンエア制御部１５に送信する。
【００２３】
コントローラ制御部１３は、リモートコントローラ５０から送信された放送スケジュール５１を受信する。コントローラ制御部１３は、受信した放送スケジュール５１をオンエア制御部１５に送信する。
【００２４】
転送制御部１４は、天気番組放送用の天気データ２１を受信端末２０から受信してオンエア制御部１５に転送する。ここでは、転送制御部１４は、天気データ２１に含まれる画像データ２２及び音声データ２３を受信端末２０から受信して、オンエア制御部１５に転送する。
【００２５】
オンエア制御部１５は、スケジュール制御部１１とＡＰＣ制御部１２とコントローラ制御部１３とから送信された放送スケジュール３１，４１，５１に従い、転送制御部１４から転送された画像データ２２及び音声データ２３の送出を制御する。
【００２６】
画像送出部１６は、オンエア制御部１５の制御に従い、転送制御部１４によって転送された天気データ２１に含まれる画像データ２２を対応する送出先に送出する。
【００２７】
図３は、実施の形態１に係る転送制御部１４の構成図である。
転送制御部１４は、要求受信部１４１と、状態判定部１４２と、データ転送部１４３とを備える。
【００２８】
要求受信部１４１は、天気データ２１の送出を要求する送出要求２４を受信端末２０から受信する。
【００２９】
状態判定部１４２は、要求受信部１４１によって送出要求２４が受信されると、各画像送出部１６がビジー状態であるか否かを判定する。ここでは、状態判定部１４２は、各画像送出部１６の状態をオンエア制御部１５に問合せることにより、画像送出部１６がビジー状態であるか否かを判定する。
ビジー状態とは、画像送出部１６が負荷の高い処理を行っている状態である。
【００３０】
データ転送部１４３は、状態判定部１４２によってどの画像送出部１６もビジー状態でないと判定されると、送出要求２４が送出を要求する天気データ２１に含まれる画像データ２２及び音声データ２３を受信端末２０から取得してオンエア制御部１５に転送する。
【００３１】
＊＊＊動作の説明＊＊＊
図４は、実施の形態１に係る天気データ送出装置１０の動作を示すフローチャートである。
Ｓ１１のスケジュール受信処理では、各送出先に対応して設けられた、スケジュール制御部１１とＡＰＣ制御部１２とコントローラ制御部１３とは、各送出先に対応して設けられた、情報検索端末３０と運行管理装置４０とリモートコントローラ５０とから、各送出先に対応した放送スケジュール３１，４１，５１を受信する。
そして、各送出先に対応した放送スケジュール３１，４１，５１は、各送出先に対応して設けられたオンエア制御部１５に送信される。
【００３２】
Ｓ１２のデータ転送処理では、転送制御部１４は、天気データ２１に含まれる画像データ２２及び音声データ２３を、各送出先に対応して設けられた受信端末２０から受信する。転送制御部１４は、画像データ２２及び音声データ２３を、送信元の受信端末２０と同じ送出先に対応して設けられたオンエア制御部１５に転送する。
【００３３】
Ｓ１３の画像送出処理では、各送出先に対応して設けられたオンエア制御部１５は、Ｓ１１で送信された放送スケジュール３１，４１，５１に従い、Ｓ１２で転送された画像データ２２の送出を制御する。各送出先に対応して設けられた画像送出部１６は、オンエア制御部１５の制御に従い、画像データ２２を対応する送出先に送出する。
【００３４】
図５は、実施の形態１に係るＳ１２：データ転送処理のフローチャートである。
Ｓ２１の要求受信処理では、要求受信部１４１は、送出要求２４をいずれかの受信端末２０から受信する。
【００３５】
Ｓ２２の状態確認処理では、状態判定部１４２は、各送出先に対応して設けられたオンエア制御部１５に、同じ送出先に対応して設けられた画像送出部１６の状態を問い合わせる。
【００３６】
Ｓ２３の状態判定処理では、状態判定部１４２は、いずれかの画像送出部１６がビジー状態であるか否かを判定する。
どの画像送出部１６もビジー状態でない場合（Ｓ２３でＮＯ）、状態判定部１４２は処理をＳ２４に進める。一方、少なくともいずれかの画像送出部１６がビジー状態である場合（Ｓ２３でＹＥＳ）、状態判定部１４２は処理をＳ２５に進める。
【００３７】
Ｓ２４の転送処理では、データ転送部１４３は、Ｓ２１で受信した送出要求２４が送出を要求する画像データ２２及び音声データ２３を受信端末２０から取得して、受信端末２０と同じ送出先に対応して設けられたオンエア制御部１５に転送する。
【００３８】
Ｓ２５の待機処理では、データ転送部１４３は、一定時間待機した後、処理をＳ２２に戻す。
【００３９】
図６は、実施の形態１に係るＳ１２：データ転送処理のシーケンス図である。
図６では、Ａ系統の送出先に対応する受信端末２０から送出要求２４が送信され、画像データ２２及び音声データ２３を転送する場合の処理を示している。
Ｆ１０１で、Ａ系統の送出先に対応する受信端末２０Ａが転送制御部１４に送出要求２４を送信する。
【００４０】
すると、Ｆ１０２で、転送制御部１４がオンエア制御部１５Ａに状態の問合せを行う。Ｆ１０３からＦ１０４で、オンエア制御部１５Ａが画像送出部１６Ａの状態を確認する。Ｆ１０５で、オンエア制御部１５Ａが転送制御部１４に画像送出部１６Ａの状態を回答する。
続いて、Ｆ１０６で、転送制御部１４がオンエア制御部１５Ｂに状態の問合せを行う。Ｆ１０７からＦ１０８で、オンエア制御部１５Ｂが画像送出部１６Ｂの状態を確認する。Ｆ１０９で、オンエア制御部１５Ｂが転送制御部１４に画像送出部１６Ｂの状態を回答する。
【００４１】
そして、Ｆ１１０で、転送制御部１４が受信端末２０Ａに各画像送出部１６の状態を回答して、Ｆ１１１で、受信端末２０Ａが画像データ２２及び音声データ２３を転送制御部１４に送信する。Ｆ１１２で、転送制御部１４が画像データ２２及び音声データ２３をオンエア制御部１５Ａに転送する。
【００４２】
図７は、実施の形態１に係る画像送出部１６の状態遷移図である。
画像送出部１６の初期状態はアイドルＸ０である。オンエア制御部１５の制御により、画像データ２２の送出を行う場合、アイドルＸ０からスタンバイ処理中Ｘ１に状態が遷移する。スタンバイ処理が終了すると、スタンバイ処理中Ｘ１からスタンバイ状態Ｘ２に状態が遷移する。そして、画像データ２２の送出が開始されると、スタンバイ状態Ｘ２からオンエア中Ｘ３に状態が遷移する。
オンエア中Ｘ３においても、アニメーション画像を送出しているアニメーション中Ｘ３１と、静止画を送出している静止中Ｘ３２と、番組を更新する番組更新中Ｘ３３と、画面を切り替えている画面切り替え中Ｘ３４との間で状態が遷移する。
そして、画像データ２２の送出が終了すると、オンエア中Ｘ３からオンエア終了処理中Ｘ４に状態が遷移する。オンエア終了処理が終了すると、オンエア終了処理中Ｘ４から初期状態であるアイドルＸ０に状態が遷移する。
【００４３】
画像送出部１６の状態が、スタンバイ処理中Ｘ１と、アニメーション中Ｘ３１と、番組更新中Ｘ３３と、画面切り替え中Ｘ３４と、オンエア終了処理中Ｘ４とのいずれかの状態である場合、ビジー状態である。画像送出部１６の状態が、他の状態である場合、ビジー状態でない。
【００４４】
＊＊＊実施の形態１の効果＊＊＊
以上のように、実施の形態１に係る天気データ送出装置１０は、１台で複数の送出先に画像データ２２を送出できる。
特に、実施の形態１に係る天気データ送出装置１０では、転送制御部１４が、送出要求２４を受信すると、どの画像送出部１６もビジー状態でないことを確認した上で、画像データ２２及び音声データ２３を転送する。これにより、オンエア中に天気データ送出装置１０の負荷が高くなり、アニメーションが停止してしまうといった、オンエアに影響を与えることを防止できる。
【００４５】
＊＊＊他の構成＊＊＊
上記説明では、天気データ送出装置１０は、スケジュール制御部１１とＡＰＣ制御部１２とコントローラ制御部１３とを備えた。しかし、これらすべてを備えていなくてもよい。具体的には、天気データ送出装置１０は、ＡＰＣ制御部１２とコントローラ制御部１３とだけを備えていてもよい。また、天気データ送出装置１０は、スケジュール制御部１１とＡＰＣ制御部１２とだけを備えていてもよい。
【００４６】
実施の形態２．
実施の形態２では、速報のような優先的に転送する必要がある天気データ２１については、優先して転送する場合の処理を説明する。
実施の形態２では、実施の形態１と異なる部分を説明する。
【００４７】
＊＊＊動作の説明＊＊＊
図８は、実施の形態２に係るＳ１２：データ転送処理のフローチャートである。
Ｓ３１の要求受信処理では、要求受信部１４１は、送出要求２４をいずれかの受信端末２０から受信する。
ここで、送出要求２４は、天気データ２１の種別を示す種別情報２５を含んでいる。種別情報２５は、気象業務支援センター、もしくは民間気象会社から受信する天気データ２１であれば、プロダクト番号と呼ばれるものである。種別情報２５は、東京の１日の天気を示す天気データ２１であること、大阪の１週間の天気を示す天気データ２１であること、台風の情報を示す天気データ２１であること、速報を示す天気データ２１であることのような種別を示す情報である。種別情報２５が示す種別には、優先データであるか否かが割り当てられている。
【００４８】
Ｓ３２の第１状態確認処理では、状態判定部１４２は、送出要求２４の送信元の受信端末２０と同じ送出先に対応して設けられたオンエア制御部１５に、同じ送出先に対応して設けられた画像送出部１６の状態を問い合わせる。
【００４９】
Ｓ３３の第１状態判定処理では、状態判定部１４２は、画像送出部１６がビジー状態であるか否かを判定する。
画像送出部１６がビジー状態でない場合（Ｓ３３でＮＯ）、状態判定部１４２は処理をＳ３４に進める。一方、画像送出部１６がビジー状態である場合（Ｓ３３でＹＥＳ）、状態判定部１４２は処理をＳ３８に進める。
【００５０】
Ｓ３４の優先度判定処理では、状態判定部１４２は、Ｓ２１で受信された送出要求２４に含まれる種別情報２５が示す種別が、優先データであることを示すか否かを判定する。
種別が優先データでないことを示す場合（Ｓ３４でＮＯ）、状態判定部１４２は処理をＳ３５に進める。一方、種別が優先データであることを示す場合（Ｓ３４でＹＥＳ）、状態判定部１４２は処理をＳ３７に進める。
【００５１】
Ｓ３５の第２状態確認処理では、状態判定部１４２は、Ｓ３２で問い合わせた以外のオンエア制御部１５に画像送出部１６の状態を問い合わせる。
【００５２】
Ｓ３６の第２状態判定処理では、状態判定部１４２は、少なくともいずれかの画像送出部１６がビジー状態であるか否かを判定する。
どの画像送出部１６もビジー状態でない場合（Ｓ３６でＮＯ）、状態判定部１４２は処理をＳ３７に進める。一方、いずれかの画像送出部１６がビジー状態である場合（Ｓ３６でＹＥＳ）、状態判定部１４２は処理をＳ３８に進める。
【００５３】
Ｓ３７の転送処理では、データ転送部１４３は、Ｓ３１で受信した送出要求２４が送出を要求する画像データ２２及び音声データ２３を受信端末２０から取得して、受信端末２０と同じ送出先に対応して設けられたオンエア制御部１５に転送する。
【００５４】
Ｓ３８の待機処理では、データ転送部１４３は、一定時間待機した後、処理をＳ３２に戻す。
【００５５】
図９は、実施の形態２に係るＳ１２：データ転送処理のシーケンス図である。
図９では、Ａ系統の送出先に対応する受信端末２０から送出要求２４が送信され、画像データ２２及び音声データ２３を転送する場合の処理を示している。図９では、優先データである場合のシーケンスを示す。優先データでない場合のシーケンスは、図６に示した通りである。
【００５６】
Ｆ２０１で、Ａ系統の送出先に対応する受信端末２０Ａが転送制御部１４に送出要求２４を送信する。
【００５７】
すると、Ｆ２０２で、転送制御部１４がオンエア制御部１５Ａに状態の問合せを行う。Ｆ２０３からＦ２０４で、オンエア制御部１５Ａが画像送出部１６Ａの状態を確認する。Ｆ２０５で、オンエア制御部１５Ａが転送制御部１４に画像送出部１６Ａの状態を回答する。
【００５８】
そして、Ｆ２０６で、転送制御部１４が受信端末２０Ａに各画像送出部１６の状態を回答して、Ｆ２０７で、受信端末２０Ａが画像データ２２及び音声データ２３を転送制御部１４に送信する。Ｆ２０８で、転送制御部１４が画像データ２２及び音声データ２３をオンエア制御部１５Ａに転送する。
【００５９】
つまり、データ転送部１４３は、種別情報２５が示す種別が優先データであることを示す場合には、天気データ２１の送出先に対応して設けられた画像送出部１６がビジー状態でないと判定されると、他の画像送出部１６がビジー状態であっても、送出要求２４が送出を要求する天気データ２１を転送する。
【００６０】
＊＊＊実施の形態２の効果＊＊＊
以上のように、実施の形態２に係る天気データ送出装置１０は、速報のような優先的に転送する必要がある天気データ２１については、送出先に対応して設けられた画像送出部１６がビジー状態でないと判定されると転送する。
これにより、優先的に転送する天気データ２１の送出先に影響を与えることを防止しつつ、天気データ２１を早期に転送することが可能となる。その結果、速報のような天気データ２１を早期に放送することが可能となる。
【００６１】
実施の形態３．
実施の形態３では、音声データ２３の送出について説明する。実施の形態３では、天気データ送出装置１０が、画像データ２２を送出するためのポートは複数系統分有しているが、音声データ２３を送出するためのポートは１系統分だけしか有していない場合を想定している。現実に、このようなケースは存在する。
実施の形態３では、実施の形態１と異なる部分を説明する。なお、実施の形態３の構成を実施の形態２の構成に適用することも可能である。
【００６２】
＊＊＊構成の説明＊＊＊
図１０は、実施の形態３に係る天気データ送出装置１０の構成図である。
天気データ送出装置１０は、図２に示す構成に加え、データ選択部１７と、音声送出部１８とを備える。
【００６３】
データ選択部１７は、複数の画像送出部１６が画像データ２２を送出する場合に、送出される画像データ２２を含む天気データ２１のうちのいずれか１つの天気データ２１を選択する。
前提として、優先して選択するデータの条件設定がされているものとする。ここでは、Ａ：優先する天気データ２１の種別と、Ｂ：優先する送出先と、Ｃ：優先する番組とが設定されているとする。つまり、データ選択部１７は、天気データ２１の種別と、送出先と、番組とに応じて、天気データ２１を選択する。
なお、ここでは、Ｂ＞Ｃ＞Ａの順で優先されるものとする。つまり、まず、送出先に基づき天気データ２１が選択される。もし、送出先の優先度が同じ場合には、次に番組に基づき天気データ２１が選択される。もし、番組の優先度が同じ場合には、次に天気データ２１の種別に基づき天気データ２１が選択される。
【００６４】
音声送出部１８は、データ選択部１７によって選択された天気データ２１に含まれる音声データ２３を送出する。
【００６５】
＊＊＊動作の説明＊＊＊
図１１は、実施の形態３に係る天気データ送出装置１０の動作を示すフローチャートである。
Ｓ４１からＳ４３の処理は、図４に示すＳ１１からＳ１３の処理と同じである。
【００６６】
Ｓ４４のデータ選択処理では、データ選択部１７は、Ｓ４３で複数の画像送出部１６が画像データ２２を送出する場合に、天気データ２１を選択する。
【００６７】
Ｓ４５の音声送出処理では、Ｓ４４で選択された天気データ２１に含まれる音声データ２３を送出する。
【００６８】
図１２は、実施の形態３に係るＳ４４：データ選択処理のフローチャートである。
Ｓ５１のスケジュール取得処理では、データ選択部１７は、画像データ２２を送出している画像送出部１６に対応するオンエア制御部１５から、放送スケジュール３１，４１，５１を取得する。そして、現在時刻に放送予定の番組を特定する。
【００６９】
Ｓ５２の音声判定処理では、データ選択部１７は、特定された各番組のうち、複数の番組が音声付の番組であるか否かを判定する。
音声付の番組がない場合、及び、１つの番組が音声付の番組である場合（Ｓ５２でＮＯ）、データ選択部１７は処理をＳ５３に進める。一方、複数の番組が音声付の番組である場合（Ｓ５２でＹＥＳ）、処理をＳ５４に進める。
【００７０】
Ｓ５３の第１選択処理では、データ選択部１７は、１つの番組が音声付の番組であるなら、その番組の天気データ２１を選択する。一方、音声付の番組がないなら音声データを出力しないので、データ選択部１７は、天気データ２１を選択しない。
【００７１】
Ｓ５４の送出先判定処理では、データ選択部１７は、音声付の番組が送出されている送出先のうち、優先度が最も高い送出先を特定する。最も優先度が高い送出先が１つである場合、データ選択部１７は、その送出先に送出される天気データ２１を選択して、処理を終了する。一方、最も優先度が高い送出先が複数である場合、データ選択部１７は、処理をＳ５５に進める。
【００７２】
Ｓ５５の番組判定処理では、データ選択部１７は、Ｓ５４で特定された優先度が最も高い送出先に送出される番組のうち、最も優先度が高い番組を特定する。最も優先度が高い番組が１つである場合、データ選択部１７は、その番組の天気データ２１を選択して、処理を終了する。一方、最も優先度が高い番組が複数である場合、データ選択部１７は、処理をＳ５６に進める。
【００７３】
Ｓ５６の種別選択処理では、データ選択部１７は、Ｓ５５で特定された優先度が最も高い番組の天気データ２１についての送出要求２４に含まれる種別情報２５が示す種別のうち、優先度が最も高い種別を特定する。データ選択部１７は、最も優先度が高い種別の天気データ２１を選択する。
【００７４】
なお、図１２に示す処理によって１つの天気データ２１が選択されるように、優先度の設定を行うことが望ましい。しかし、図１２のＳ５６でも複数の天気データ２１が選択されてしまう場合には、データ選択部１７は、予め設定された送出先に送出される天気データ２１を選択するようにしてもよい。
【００７５】
＊＊＊実施の形態３の効果＊＊＊
実施の形態３では、画像データ２２を送出するためのポートは複数系統分有しているが、音声データ２３を送出するためのポートは１系統分だけしか有していない場合に、適切な音声データ２３を送出することができる。
【００７６】
実施の形態４．
実施の形態４では、図４のＳ１３の画像送出処理について説明する。実施の形態４では、複数の画像送出部１６が１つの画像送出用の通信ボード１９を共有している場合を想定している。現実に、このようなケースは存在する。
実施の形態４では、実施の形態１と異なる部分を説明する。なお、実施の形態４の構成を実施の形態２，３の構成に適用することも可能である。
【００７７】
＊＊＊構成の説明＊＊＊
図１３は、実施の形態４に係る天気データ送出装置１０の構成図である。
天気データ送出装置１０は、図２に示す構成に加え、通信ボード１９を備える。
【００７８】
通信ボード１９は、画像データ２２を送出先に送出するためのハードウェアである。画像送出部１６は、通信ボード１９を介して画像データ２２を送出先に送出する。
通信ボード１９には複数の送出用のポートが設けられている。そして、ここでは、２つの画像送出部１６が１つの通信ボード１９を共有している。
【００７９】
＊＊＊動作の説明＊＊＊
図１４は、実施の形態４に係るＳ１３：画像送出処理のフローチャートである。
Ｓ６１の起動判定処理では、画像送出部１６は、同じ送出先に重複して画像データ２２を送出することを防止するため、送出先が既に起動しているか否かを判定する。
起動している場合（Ｓ６１でＹＥＳ）、他の画像送出部１６が画像データ２２を送出しているため、画像送出部１６は処理を終了する。一方、起動していない場合（Ｓ６１でＮＯ）、画像送出部１６は処理をＳ６２に進める。
【００８０】
Ｓ６２のＳ／Ｗ初期化処理では、画像送出部１６は、設定ファイルを読み込み、変数を初期化する。
【００８１】
Ｓ６３のボード初期化処理では、画像送出部１６は、通信ボード１９の初期化処理を実行して、通信ボード１９を初期化する。
【００８２】
Ｓ６４の送出処理では、画像送出部１６は、オンエア制御部１５の制御に従い、画像データ２２を対応する送出先に送出する。
映像データを送出する場合、画像送出部１６は映像データを構成する複数の画像データ２２を順次切り替えて送出する。ここでは、画像送出部１６は、１秒に６０枚の画像データ２２を切り替えて送出する。
【００８３】
図１５は、実施の形態４に係るＳ６３：ボード初期化処理のフローチャートである。
Ｓ７１の起動判定処理では、画像送出部１６は、重複して初期化することを防止するため、他の画像送出部１６によって既に通信ボード１９が起動されているか否かを判定する。
起動されている場合（Ｓ７１でＹＥＳ）、画像送出部１６は処理をＳ７３に進める。一方、起動されていない場合（Ｓ７１でＮＯ）、画像送出部１６は処理をＳ７２に進める。
【００８４】
Ｓ７２の同期処理では、画像送出部１６は、同期信号に関する変数を通信ボード１９に設定する。
【００８５】
Ｓ７３の変数設定処理では、画像送出部１６は、同期信号以外の変数を通信ボード１９に設定する。
【００８６】
図１６は、実施の形態４に係るＳ６４：送出処理のフローチャートである。
Ｓ８１のロック処理では、画像送出部１６は、通信ボード１９を他の画像送出部１６によって使用できないようにロック状態にする。
【００８７】
Ｓ８２の画像更新処理では、画像送出部１６は、新しい画像データ２２を送出先に送出して、画像データ２２を更新させる。
【００８８】
Ｓ８３のロック解除処理では、画像送出部１６は、通信ボード１９のロック状態を解除する。
【００８９】
＊＊＊実施の形態４の効果＊＊＊
以上のように、実施の形態４に係る天気データ送出装置１０は、同期処理を複数の画像送出部１６で重複して行うことを防止できる。これにより、不要な同期処理が実行され、リソースを無駄に消費することを防止できる。
【００９０】
また、実施の形態４に係る天気データ送出装置１０は、排他制御することにより、通信ボード１９を用いた処理を複数の画像送出部１６で同時に行うことを防止できる。
【００９１】
また、実施の形態４に係る天気データ送出装置１０は、同じ送出先に対して複数の画像送出部１６から画像データ２２が送信されることを防止できる。
【００９２】
＊＊＊ハードウェア構成例の説明＊＊＊
最後に、天気データ送出装置１０のハードウェア構成例を説明する。
天気データ送出装置１０はコンピュータである。
天気データ送出装置１０の機能は、ソフトウェアで実現することもできるし、ハードウェアで実現することもできる。
図１７は、天気データ送出装置１０の機能がソフトウェアで実現される場合のハードウェア構成例を示す図である。
図１８は、天気データ送出装置１０の機能がハードウェアで実現される場合のハードウェア構成例を示す図である。
以下、図１７及び図１８を参照して、天気データ送出装置１０のハードウェア構成例を説明する。
【００９３】
＊＊天気データ送出装置１０の機能がソフトウェアで実現される場合＊＊
天気データ送出装置１０の機能がソフトウェアで実現される場合は、図１７に示すように、天気データ送出装置１０は、プロセッサ９０１、補助記憶装置９０２、メモリ９０３、通信装置９０４、通信ボード１９といったハードウェアを備える。
プロセッサ９０１は、信号線９１０を介して他のハードウェアと接続され、これら他のハードウェアを制御する。
【００９４】
プロセッサ９０１は、プロセッシングを行うＩＣ（Ｉｎｔｅｇｒａｔｅｄ  Ｃｉｒｃｕｉｔ）である。プロセッサ９０１は、具体的には、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、具体的には、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、具体的には、ＲＡＭ（Ｒａｎｄｏｍ  Ａｃｃｅｓｓ  Ｍｅｍｏｒｙ）である。
通信装置９０４は、データを受信するレシーバー９０４１を含む。通信装置９０４は、具体的には、通信チップ又はＮＩＣ（Ｎｅｔｗｏｒｋ  Ｉｎｔｅｒｆａｃｅ  Ｃａｒｄ）である。
通信ボード１９は、実施の形態４で説明した通りであり、画像データ２２を送出するためのボードである。
【００９５】
補助記憶装置９０２には、スケジュール制御部１１と、ＡＰＣ制御部１２と、コントローラ制御部１３と、転送制御部１４と、オンエア制御部１５と、画像送出部１６と、データ選択部１７と、音声送出部１８との機能を実現するプログラムが記憶されている。以下、スケジュール制御部１１と、ＡＰＣ制御部１２と、コントローラ制御部１３と、転送制御部１４と、オンエア制御部１５と、画像送出部１６と、データ選択部１７と、音声送出部１８とをまとめて「部」と表記する。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。そして、ＯＳの少なくとも一部がメモリ９０３にロードされ、プロセッサ９０１はＯＳを実行しながら、「部」の機能を実現するプログラムを実行する。
【００９６】
図１７では、１つのプロセッサ９０１が図示されているが、天気データ送出装置１０が複数のプロセッサ９０１を備えていてもよい。そして、複数のプロセッサ９０１が「部」の機能を実現するプログラムを連携して実行してもよい。
また、「部」の処理の結果を示す情報やデータや信号値や変数値が、メモリ９０３、補助記憶装置９０２、又は、プロセッサ９０１内のレジスタ又はキャッシュメモリに記憶される。また、「部」の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
【００９７】
＊＊天気データ送出装置１０の機能がハードウェアで実現される場合＊＊
天気データ送出装置１０の機能がハードウェアで実現される場合は、図１８に示すように、天気データ送出装置１０は、処理回路９９０、通信装置９０４、通信ボード１９といったハードウェアを備える。
通信装置９０４及び信号線９１０は、図１７で説明したものと同じであるため、説明を省略する。
処理回路９９０は、「部」の機能を実現する専用の電子回路である。処理回路９９０は、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
「部」の機能を１つの処理回路９９０で実現してもよいし、「部」の機能を複数の処理回路９９０に分散させて実現してもよい。
【００９８】
＊＊天気データ送出装置１０の機能がソフトウェアとハードウェアの組み合わせで実現される場合＊＊
天気データ送出装置１０の一部の機能を専用のハードウェアで実現し、他の機能をソフトウェアで実現するようにしてもよい。
【００９９】
＊＊付記＊＊
プロセッサ９０１、補助記憶装置９０２及びメモリ９０３と、処理回路９９０を、総称して「プロセッシングサーキットリー」という。
つまり、天気データ送出装置１０のハードウェア構成が図１７のハードウェア構成、図１８のハードウェア構成のいずれであっても、「部」の機能は、プロセッシングサーキットリーにより実現される。
また、「部」を「工程」又は「手順」又は「処理」に読み替えてもよい。
また、「部」の機能をファームウェアで実現してもよい。
【符号の説明】
【０１００】
１  天気データ送出システム、１０  天気データ送出装置、１１  スケジュール制御部、１２  ＡＰＣ制御部、１３  コントローラ制御部、１４  データ転送部、１５  オンエア制御部、１６  画像送出部、１７  データ選択部、１８  音声送出部、１９  通信ボード、２０  受信端末、２１  天気データ、２２  画像データ、２３  音声データ、２４  送出要求、２５  種別情報、３０  情報検索端末、３１  放送スケジュール、４０  運行管理装置、４１  放送スケジュール、５０  リモートコントローラ、５１  放送スケジュール。
【要約】
【課題】１台の天気データ送出装置で複数系統に画像データを送出できるようにすることを目的とする。
【解決手段】天気データ送出装置１０は、天気番組放送用の天気データ２１を受信端末２０から受信して転送する転送制御部１４と、複数の送出先それぞれに対応して設けられ、データ転送部１４によって転送された天気データ２１に含まれる画像データ２２を対応する送出先に送出する画像送出部１６とを備える。データ転送部１４は、天気データ２１の送出を要求する送出要求を受信すると、各画像送出部１６がビジー状態であるか否かを判定し、どの画像送出部１６もビジー状態でないと判定すると、送出要求が送出を要求する天気データ２１を受信端末２０から取得して転送する。
【選択図】図２【図１】
0006040297.tif 000002
【図２】
0006040297.tif 000003
【図３】
0006040297.tif 000004
【図４】
0006040297.tif 000005
【図５】
0006040297.tif 000006
【図６】
0006040297.tif 000007
【図７】
0006040297.tif 000008
【図８】
0006040297.tif 000009
【図９】
0006040297.tif 000010
【図１０】
0006040297.tif 000011
【図１１】
0006040297.tif 000012
【図１２】
0006040297.tif 000013
【図１３】
0006040297.tif 000014
【図１４】
0006040297.tif 000015
【図１５】
0006040297.tif 000016
【図１６】
0006040297.tif 000017
【図１７】
0006040297.tif 000018
【図１８】
0006040297.tif 000019